(57)【特許請求の範囲】
【請求項１】
表示装置に積層して使用し、タッチパネルにアンテナを併設したアンテナ併設タッチパネルであって、
前記アンテナのアンテナ素子及び当該アンテナ素子と導通した第１配線からなり、導電膜でできているアンテナパターンと、
前記タッチパネルの電極及び当該電極と導通した第２配線からなり、導電膜でできている検出パターンと、を備え、
平面透視図上で、前記アンテナパターンと前記検出パターンの間の最短距離が１．０ｍｍ以上２０．０ｍｍ以下であり、
前記タッチパネルの検出方式は静電容量方式であり、
前記電極は、複数の送信電極（Ｔｘ）と複数の受信電極（Ｒｘ）とからなり、
前記第２配線は、前記送信電極（Ｔｘ）から引き出された送信配線と前記受信電極（Ｒｘ）から引き出された受信配線とからなり、
前記送信電極（Ｔｘ）と前記送信配線が配置される第一パネル面と、
前記受信電極（Ｒｘ）と前記受信配線が配置される第二パネル面とを備え
前記アンテナ素子と前記第１配線は、前記第一パネル面及び前記第二パネル面のうち少なくとも一方であって、平面透視図上の周縁部分に配置されており、
一枚の基材の一方面が前記第一パネル面、他方面が前記第二パネル面であり、
平面透視図上で、前記アンテナパターンと前記検出パターンの間に、前記基材が開口部を有するアンテナ併設タッチパネル。
【請求項２】
表示装置に積層して使用し、タッチパネルにアンテナを併設したアンテナ併設タッチパネルであって、
前記アンテナのアンテナ素子及び当該アンテナ素子と導通した第１配線からなり、導電膜でできているアンテナパターンと、
前記タッチパネルの電極及び当該電極と導通した第２配線からなり、導電膜でできている検出パターンと、を備え、
平面透視図上で、前記アンテナパターンと前記検出パターンの間の最短距離が１．０ｍｍ以上２０．０ｍｍ以下であり、
前記タッチパネルの検出方式は静電容量方式であり、
前記電極は、複数の送信電極（Ｔｘ）と複数の受信電極（Ｒｘ）とからなり、
前記第２配線は、前記送信電極（Ｔｘ）から引き出された送信配線と前記受信電極（Ｒｘ）から引き出された受信配線とからなり、
前記送信電極（Ｔｘ）と前記送信配線が配置される第一パネル面と、
前記受信電極（Ｒｘ）と前記受信配線が配置される第二パネル面とを備え
前記アンテナ素子と前記第１配線は、前記第一パネル面及び前記第二パネル面のうち少なくとも一方であって、平面透視図上の周縁部分に配置されており、
二枚の基材の一方面がそれぞれ前記第一パネル面、前記第二パネル面であり、
平面透視図上で、前記アンテナパターンと前記検出パターンの間に、少なくとも前記アンテナパターンを有する基材が開口部を有するアンテナ併設タッチパネル。
【請求項３】
表示装置に積層して使用し、タッチパネルにアンテナを併設したアンテナ併設タッチパネルであって、
前記アンテナのアンテナ素子及び当該アンテナ素子と導通した第１配線からなり、導電膜でできているアンテナパターンと、
前記タッチパネルの電極及び当該電極と導通した第２配線からなり、導電膜でできている検出パターンと、を備え、
平面透視図上で、前記アンテナパターンと前記検出パターンの間の最短距離が１．０ｍｍ以上２０．０ｍｍ以下であり、
前記タッチパネルの検出方式は静電容量方式であり、
前記電極は、複数の送信電極（Ｔｘ）と複数の受信電極（Ｒｘ）とからなり、
前記第２配線は、前記送信電極（Ｔｘ）から引き出された送信配線と前記受信電極（Ｒｘ）から引き出された受信配線とからなり、
前記送信電極（Ｔｘ）と前記送信配線が配置される第一パネル面と、
前記受信電極（Ｒｘ）と前記受信配線が配置される第二パネル面とを備え
前記アンテナ素子と前記第１配線は、前記第一パネル面及び前記第二パネル面のうち少なくとも一方であって、平面透視図上の周縁部分に配置されており、
一枚の基材の一方面が前記第一パネル面と前記第二パネル面であり、
平面透視図上で、前記アンテナパターンと前記検出パターンの間に、前記基材が開口部を有するアンテナ併設タッチパネル。
【請求項４】
表示装置にアンテナ併設タッチパネルを積層したタッチスクリーンであって、
前記アンテナ併設タッチパネルが請求項１〜３のいずれかに記載したアンテナ併設タッチパネルであるタッチスクリーン。
【発明の詳細な説明】
【技術分野】
【０００１】  本発明は無線通信機能を備えた機器の表示、入力部であるタッチパネルに通信用のアンテナを併設したアンテナ併設タッチパネルに関するものである。
【背景技術】
【０００２】  スマートホン、携帯電話、タブレット端末などの機器の表示、入力部としてタッチパネルが使用されている。また、これら機器は無線通信の送受信用アンテナを備えている。これら機器は接触検知機能を持つタッチパネルを組み込み、またタッチパネルとは別体で無線信号送受信機能を持つアンテナを組み込んでいる。【０００３】  タッチパネルの検出電極とアンテナ素子は両者共に導電性膜により形成することが出来る。従って、アンテナ併設タッチパネルを製造してこれら機器に組み込むとするならば、これら機器の製造工程の簡略化、部品の省スペース等が実現される。【０００４】  タッチパネルは電極及び当該電極と導通した配線（第２配線という）を具備する（例えば、特許文献１参照）。本発明と本明細書にあって電極が配置されているタッチパネル中の平面領域を電極エリアといい、第２配線が配置されているタッチパネル中の平面領域を第２配線エリアという。【０００５】  タッチパネルにアンテナを併設するにあたり、第２配線エリアにアンテナを配置すると、平面透視図上で第２配線とアンテナが重なる。また、電極エリアにアンテナを配置すると、平面透視図上で電極とアンテナが重なる。
【先行技術文献】
【特許文献】
【０００６】
【特許文献１】特開２０１０−２３８０５２号公報
【発明の概要】
【発明が解決しようとする課題】
【０００７】  アンテナは通常低インピーダンス状態にある。タッチパネルの電極は、通常、アンテナよりも高インピーダンス状態にある。【０００８】  タッチパネルの構成要素である電極や第２配線にアンテナが重なると両者の接触がなくても、両者の間で電気的な結合が生じる。当該電気的な結合によってタッチパネルの検出特性に悪影響が出る。悪影響の例として(1)タッチパネルに接触していないにもかかわらず接触有の信号が出たり、タッチパネルに接触したにもかかわらず接触有の信号が出なかったりする誤検出、(2)接触位置と異なる位置で接触有と検出するゴースト現象の発生などが挙げられる。【０００９】  本発明が解決しようとする課題は、アンテナを併設したタッチパネルにあって、タッチパネルの検出特性に悪影響が無いアンテナ併設タッチパネルを得ることにある。【００１０】  本発明のその他の課題は、本発明の説明により明らかになる。
【課題を解決するための手段】
【００１１】  以下に課題を解決するための手段を述べる。理解を容易にするために、本発明の実施態様に対応する符号を付けて説明するが、本発明は当該実施態様に限定されるものではない。また、符号である数字は部品などを集合的に示す場合があり、後に説明する実施例において個別の部品などを示す場合に、当該数字のあとにアルファベットの添字を付けているものがある。【００１２】  本発明の一の態様にかかるアンテナ併設タッチパネル（１）は、  表示装置（５１）に積層して使用し、タッチパネルにアンテナを併設したアンテナ併設タッチパネルであって、  前記アンテナのアンテナ素子（２１）及び当該アンテナ素子と導通した第１配線（２２）からなり、導電膜でできているアンテナパターン（２０）と、  前記タッチパネルの電極（３１、３６）及び当該電極と導通した第２配線（３２，３７）からなり、導電膜でできている検出パターン（３０）と、を備え、  平面透視図上で、前記アンテナパターンと前記検出パターンの間の最短距離（６）が１．０ｍｍ以上２０．０ｍｍ以下であるアンテナ併設タッチパネル。【００１３】  また、アンテナ併設タッチパネル（１）は、  平面透視図上で、前記アンテナパターンと前記検出パターンの間に、低比誘電率層からなるパターンが配置されていて、  前記低比誘電率層の比誘電率（Εｒ）の値が１．０を超えて２．５以下であってもよい。【００１４】  また、前記タッチパネルの検出方式は静電容量方式であり、前記電極は、複数の送信電極（Ｔｘ）と複数の受信電極（Ｒｘ）とからなり、  前記第２配線は、前記送信電極（Ｔｘ）から引き出された送信配線と前記受信電極（Ｒｘ）から引き出された受信配線とからなり、  前記送信電極（Ｔｘ）と前記送信配線が配置される第一パネル面と、  前記受信電極（Ｒｘ）と前記受信配線が配置される第二パネル面とを備え  前記アンテナ素子と前記第１配線は、前記第一パネル面及び前記第二パネル面のうち少なくとも一方であって、平面透視図上の周縁部分に配置されてもよい。【００１５】  また、一枚の基材の一方面が前記第一パネル面、他方面が前記第二パネル面であり、  平面透視図上で、前記アンテナパターンと前記検出パターンの間に、前記基材が開口部を有していてもよい。【００１６】  また、二枚の基材の一方面がそれぞれ前記第一パネル面、前記第二パネル面であり、  平面透視図上で、前記アンテナパターンと前記検出パターンの間に、少なくとも前記アンテナパターンを有する基材が開口部を有していてもよい。【００１７】  また、一枚の基材の一方面が前記第一パネル面と前記第二パネル面であり、  平面透視図上で、前記アンテナパターンと前記検出パターンの間に、前記基材が開口部を有していてもよい。【００１８】  表示装置にアンテナ併設タッチパネルを積層したタッチスクリーンであって、  前記アンテナ併設タッチパネルが請求項１〜６のいずれかに記載したアンテナ併設タッチパネルであるタッチスクリーン。【００１９】  本発明の他の態様にかかるタッチスクリーン（２）は、  表示装置にアンテナ併設タッチパネルを積層したタッチスクリーンであって、  前記アンテナ併設タッチパネルが本発明にかかるアンテナ併設タッチパネルである。【００２０】  以上説明した本発明、本発明の好ましい実施態様、これらに含まれる構成要素は可能な限り組み合わせて実施することができる。
【発明の効果】
【００２１】  本発明にかかるアンテナ併設タッチパネルは、アンテナパターンと検出パターンの間に特定の距離があるので、アンテナと検出パターンの間に電気的な結合が生じない。したがってアンテナを併設したタッチパネルにあって、誤検出やゴースト現象の発生が無い利点がある。【００２２】  本発明にかかるタッチスクリーンは、タッチパネル部品にあって、アンテナパターンと検出パターンの間に特定の距離があるので、アンテナと検出パターンの間に電気的な結合が生じない。したがって表示装置を備え、アンテナを併設したタッチスクリーンにあって、誤検出やゴースト現象の発生が無い利点がある。
【図面の簡単な説明】
【００２３】
【図１】図１は第一タッチスクリーンの分解説明図である。
【図２】図２は第一アンテナ併設タッチパネルの平面透視図である。
【図３】図３は第二アンテナ併設タッチパネルの平面透視図である。
【図４】図４は第三アンテナ併設タッチパネルの平面透視図である。
【図５】図５は第四アンテナ併設タッチパネルの平面透視図である。
【図６】図６はアンテナ素子の平面形状の例示である。
【図７】図７は第二タッチスクリーンの分解説明図である。
【図８】図８は第三タッチスクリーンの分解説明図である。
【図９】図９は第四タッチスクリーンの分解説明図である。
【図１０】図１０は第五タッチスクリーンの分解説明図である。
【発明を実施するための形態】
【００２４】  以下、図面を参照して本発明の実施例にかかるアンテナ併設タッチパネルとタッチスクリーンをさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。さらに、図面を参照しつつ、上下、左右、縦横などの用語を用いる場合は、各部材相互間の位置関係を示す意図で用いるものであり、これらの用語により、この発明の範囲をそれらのみに限定する趣旨のものではない。
【００２５】  図１は第一タッチスクリーン２ａの分解説明図である。第一タッチスクリーン２ａは液晶表示装置５１（以下、ＬＣＤと呼ぶ場合がある）にタッチパネル１を積層している。タッチパネル１の上に表層基材であるガラス板３を重ねている。
【００２６】  液晶表示装置５１は表示面５３とＬＣＤ導電体５２を有する。表示面５３は、液晶表示装置５１の平面の大部分を占め、当該平面の中央部にある。ＬＣＤ導電体５２は表示面５３の周縁部にあり、表示面５３を額縁状に取り巻いている。
【００２７】  アンテナ併設タッチパネル１の検出方式は静電容量方式である。アンテナ併設タッチパネル１は第一パネル面３３と第二パネル面３８を有する。第一パネル面３３に複数の送信電極（Ｔｘ）３１が配置されている。送信電極（Ｔｘ）３１から送信配線３２が引き出されている。送信電極（Ｔｘ）３１と送信配線３２は導通している。複数の送信電極（Ｔｘ）３１と複数の送信配線３２はそれぞれ個別に導通している。
【００２８】  第二パネル面３８に複数の受信電極（Ｒｘ）３６が配置されている。受信電極（Ｒｘ）３６から受信配線３７が引き出されている。受信電極（Ｒｘ）３６と受信配線３７は導通している。複数の受信電極（Ｒｘ）３６と複数の受信配線３７はそれぞれ個別に導通している。
【００２９】  送信電極（Ｔｘ）３１と受信電極（Ｒｘ）３６は可視光透明である。送信電極（Ｔｘ）３１と受信電極（Ｒｘ）３６は導電膜でできている。送信配線３２と受信配線３７は導電膜でできている。
【００３０】  本発明と本明細書にあって、送信電極（Ｔｘ）３１と受信電極（Ｒｘ）３６を合わせて電極と呼び、送信配線３２と受信配線３７を合わせて第２配線と呼ぶ。さらに、電極と第２配線を合わせて検出パターン３０と呼ぶ。
【００３１】  第二パネル面３８に、アンテナ素子２１と第１配線２２が在る。アンテナ素子２１と第１配線２２は導通している。アンテナ素子２１と第１配線２２は導電膜でできている。アンテナ素子２１と第１配線２２は、通常、可視光不透明である。どちらもアンテナ併設タッチパネル１の額縁部分に配置されるので、可視光透明とする必要性が無いからである。
【００３２】  アンテナ併設タッチパネル１の額縁部分とは、アンテナ併設タッチパネルを平面視しての周辺部分をいう。通常、当該周辺部分の内側はタッチパネルの操作領域であり、かつ、表示装置の表示領域である。額縁部分は、通常、操作領域ではなく、また、表示領域ではない。
【００３３】  もっとも、アンテナ素子２１は、表示装置の表示領域に配置されてもよい。
【００３４】  表示装置の表示領域に配置されるアンテナ素子は、可視光透明な導電膜で作成されることになるであろう。さらに、アンテナ素子が額縁部分又は表示領域のいずれに配置されても、アンテナ素子２１と第１配線２２は可視光透明であってもよい。
【００３５】  本発明と本明細書にあって、アンテナ素子２１と第１配線２２を合わせてアンテナパターン２０と呼ぶ。
【００３６】  アンテナパターン２０は第一パネル面３３上に配置されてもよい。
【００３７】  図２は第一アンテナ併設タッチパネル１ａの平面透視図である。
【００３８】  アンテナ素子２１ａの平面形状は帯状である。帯状は矩形と表現することもできる。
【００３９】  本発明にあって、アンテナ素子の平面形状は任意の形状であってもよい。アンテナ素子の平面形状がいかなる形状であっても、本発明の発明特定事項を具備するアンテナ併設タッチパネル、タッチスクリーンとこれらの均等物は、本発明の技術的範囲に含まれる。図１に示した帯状とＬ字形状をなすアンテナ素子の平面形状は、例示である。さらに、図６に平面形状が異なる５つのアンテナ素子を図示した。アンテナ素子２４はＴの字形状であり、アンテナ素子２５はＴの字形状の一部分が他の部分に比較して太い形状である。アンテナ素子２６はコの字形状であり、アンテナ素子２７はコの字形状の一部分が他の部分に比較して太い形状である。アンテナ素子２８は正方形に近い長方形形状である。以上説明したアンテナ素子の平面形状は、例示である
【００４０】  アンテナ素子２１ａと導通した第１配線２２ａが、アンテナ素子２１ａから第一アンテナ併設タッチパネル１ａの輪郭線に延びている。
【００４１】  アンテナパターン２０ａは検出パターン３０と間隔を空けて配置されている。
【００４２】  第一アンテナ併設タッチパネル１ａの平面透視図にあって、検出パターン３０は略矩形形状である。その上辺は受信電極３６の上輪郭線３６１であり、左辺は送信配線３２６であり、下辺は破線３０１であり、右辺は破線３０２である。検出パターン３０は受信配線３７を含むので、厳密に図示するならば破線３０１は図示位置よりも下方向の位置にあるが、ここでは理解の容易化などのために実際位置よりも上の位置に図示している。また、厳密に図示するならば破線３０２は図示位置よりも右方向の位置にあるが、ここでは理解の容易化などのために実際位置よりも左の位置に図示している。
【００４３】  アンテナパターン２０ａの中で、検出パターン３０に最も近い部分は下輪郭線２１１である。検出パターン３０の中で、アンテナパターン２０ａに最も近い部分は受信電極３６の上輪郭線３６１である。
【００４４】  第一アンテナ併設タッチパネル１ａの平面透視図上で、アンテナパターン２０ａと検出パターン３０の最短距離を矢印６ａで示している。当該最短距離は、通常、１．０ｍｍ以上２０．０ｍｍ以下であり、好ましくは２．０ｍｍ以上２０．０ｍｍ以下である。当該最短距離をこの範囲内の値にすればアンテナパターンと検出パターンの電気的結合を防止できる。上限値をこの値にすればタッチパネルがいたずらに大きくなるのを避けることができる。本発明と本明細書において、上記最短距離範囲を第一距離範囲と呼ぶ。
【００４５】  図３は第二アンテナ併設タッチパネル１ｂの平面透視図である。アンテナ素子２１ｂはアンテナ併設タッチパネル１ｂの左上隅に位置する。アンテナ素子２１ｂの平面形状はＬ字形状である。Ｌ字形状は「鉤の手」形状と表現することもできる。アンテナ素子２１ｂと導通した第１配線２２ｂが、アンテナ素子２１ｂからアンテナ併設タッチパネル１ｂの輪郭線に延びている。
【００４６】  第二アンテナ併設タッチパネル１ｂの平面透視図上で、アンテナパターン２０ｂは検出パターン３０と間隔をおいて配置されている。
【００４７】  第二アンテナ併設タッチパネル１ｂの平面透視図にあって、検出パターン３０は略矩形形状である。その上辺は受信電極３６の上輪郭線３６２であり、左辺は送信配線３２１であり、下辺は破線３０３であり、右辺は破線３０４である。検出パターン３０は受信配線３７を含むので、厳密に図示するならば破線３０３は第一アンテナ併設タッチパネル１ｂの下辺輪郭線と一致する位置にあるが、ここでは理解の容易化などのために実際位置よりも上の位置に図示している。また、厳密に図示するならば破線３０４は図示位置よりも右方向の位置にあるが、ここでは理解の容易化などのために実際位置よりも左の位置に図示している。
【００４８】  第二アンテナ併設タッチパネル１ｂの平面透視図上で、アンテナパターン２０ｂと検出パターン３０の左右方向距離は矢印６ｂで示した。矢印６ｂで示す間隔距離はアンテナ素子２１ｂの内側縦輪郭線２１３と送信配線３２１間の距離である。
【００４９】  第二タッチパネル１ｂの平面透視図上で、アンテナパターン２０ｂと検出パターン３０の上下方向距離は矢印７ｂで示した。矢印７ｂで示す間隔距離はアンテナ素子２１ｂの内側横輪郭線２１４と受信電極（Ｒｘ）３６の上輪郭線３６２間の距離である。
【００５０】  矢印６ｂと矢印７ｂの長さを比較すると、矢印６ｂの長さが短い。よって第一タッチパネル１ｂの平面透視図上で、アンテナパターン２０ｂと検出パターン３０の最短距離は矢印６ｂの長さである。
【００５１】  矢印６ｂの長さは、第一距離範囲に定められ、アンテナパターン２０ｂと検出パターン３０の電気的結合を防止している。
【００５２】  図４は第三アンテナ併設タッチパネル１ｃの平面透視図である。第三アンテナ併設タッチパネル１ｃの平面透視図にあって、複数の送信配線からなるパターンは下向きに開いた略コの字形状である。その内側上辺及び内側左辺は送信配線３２３であり、内側右辺は送信配線３２２である。
【００５３】  第三アンテナ併設タッチパネル１ｃの平面透視図上で、アンテナ素子２１ｃは右、上、左の三方向を送信配線に囲まれ、下方向を第二アンテナ併設タッチパネル１ｃの下輪郭線に囲まれている。電極と第２配線からなる検出パターンにあって、アンテナ素子２１ｃに接近しているものは第２配線である。
【００５４】  第三アンテナ併設タッチパネル１ｃの平面透視図上で、アンテナパターン２０ｃの左方向の、アンテナパターン２０ｃと検出パターン３０の間隔距離を矢印６ｃで示した。矢印６ｃで示す間隔距離はアンテナ素子２１ｃの左輪郭線２１６と送信配線３２３間の距離である。
【００５５】  第三アンテナ併設タッチパネル１ｃの平面透視図上で、アンテナパターン２０ｃの右方向の、アンテナパターン２０ｃと検出パターン３０の間隔距離を矢印７ｃで示した。矢印７ｃで示す間隔距離はアンテナ素子２１ｃの右輪郭線２１５と送信配線３２２間の距離である。
【００５６】  矢印６ｃと矢印７ｃの長さを比較すると、矢印６ｃの長さが短い。また、アンテナパターン２０ｃの上方向は送信配線と長い間隔がある。そして下方向に検出パターン３０は無い。よって第二アンテナ併設タッチパネル１ｃの平面透視図上で、アンテナパターン２０ｃと検出パターン３０の最短距離は矢印６ｃの長さである。矢印６ｃの長さは、第一距離範囲に定められ、アンテナパターン２０ｂと検出パターン３０の電気的結合を防止している。
【００５７】  図４中で、４の送信電極（Ｔｘ）３１の下にある縦並び３の点は、残余の送信電極（Ｔｘ）が同様に並んでいることを表し、２の受信電極（Ｒｘ）３６の右にある横並び３の点は、残余の送信電極が同様に並んでいることを表している。
【００５８】  図５は第四アンテナ併設タッチパネル１ｄの平面透視図である。
【００５９】  第四アンテナ併設タッチパネル１ｄは二つのアンテナパターン２０ｄ、２０ｅを持つ。アンテナパターン２０ｄのアンテナ素子２１ｄは帯状である。アンテナパターン２０ｅのアンテナ素子２１ｅはＬ字状である。
【００６０】  第四アンテナ併設タッチパネル１ｄの平面透視図にあって、検出パターン３０は略矩形形状である。その上辺は受信電極３６の上輪郭線３６３であり、左辺は送信配線３２７であり、下辺は破線３０５であり、右辺は破線３０６である。検出パターン３０は受信配線３７を含むので、厳密に図示するならば破線３０５は第四アンテナ併設タッチパネル１ｄの下辺輪郭線と一致する位置にあるが、ここでは理解の容易化などのために実際位置よりも上の位置に図示している。また、厳密に図示するならば破線３０６は図示位置よりも右方向の位置にあるが、ここでは理解の容易化などのために実際位置よりも左の位置に図示している。
【００６１】  二つのアンテナパターン２０ｄ、２０ｅはそれぞれ検出パターン３０と間隔を置いて配置されている。二つのアンテナパターン２０ｄ、２０ｅのなかで、アンテナパターン２０ｄが検出パターン３０に近接している。
【００６２】  第四アンテナ併設タッチパネル１ｄの平面透視図上で、アンテナパターン２０ｄと検出パターン３０の間隔距離を矢印６ｄで示した。矢印６ｄの長さが、アンテナパターン２０ｄ、２０ｅと検出パターン３０との最短距離である。矢印６ｄの長さは、第一距離範囲に定められ、アンテナパターン２０ｄと検出パターン３０の電気的結合を防止している。
【００６３】  アンテナパターン２０と検出パターン３０はＩＴＯ（酸化インジウム・スズ）、透明導電性インク（例えば銀ナノワイヤーインク）、導電性ペースト（例えば金属粒子とバイダー樹脂からなるペースト）、銅薄膜等で作成される。表示装置の表示面の真上に位置するこれらのパターンは可視光透明な材料で作成すればよく、表示装置の額縁部分に位置するこれらのパターンは可視光不透明な材料で作成してもよく、可視光透明な材料で作成してもよい。
【００６４】  図１を参照して説明した第一パネル面と第二パネル面は、一枚の基材（図示せず）の表面と裏面であってもよい。また、二枚の基材の一方面がそれぞれ第一パネル面、第二パネル面であってもよい。また、表層基材であるガラス板の面が第一パネル面及び／または第二パネル面であってもよい。さらに一枚の基材の一方面が第一パネル面と第二パネル面であってもよい。
【００６５】  ここで単一の面が第一パネル面であってかつ第二パネル面とは、送信電極（Ｔｘ）と受信電極（Ｒｘ）が同一面に形成され、各々の交差点で両電極が絶縁状態で重なった検出電極を意味している。
【００６６】  アンテナパターンは上記した態様の第一パネル面又は第二パネル面に作成すればよい。又は、アンテナパターンを作成した基材を作り、検出パターンを作成した基材等と重ね合せてもよい。
【００６７】  上述の通り、第一〜第四アンテナ併設タッチパネル１ａ、１ｂ、１ｃ、１ｄは、アンテナパターン２０ａ、２０ｂ、２０ｃ、２０ｄと検出パターン３０の間に特定の距離があるので、アンテナと検出パターンの間に電気的な結合が生じない。なお、アンテナと検出パターンの間の電気的な結合をより確実に防止するには、特定の距離を設けるだけでなく、さらなる工夫を加えることが好ましい。例えば、図７に示すように、平面透視図上で、アンテナパターンと検出パターンの間に、低比誘電率層からなるパターン６０を配置する。
【００６８】  図７は第二タッチスクリーン２ｂの分解説明図である。第二タッチスクリーン２ｂは、第一タッチスクリーン２ａと同様に、液晶表示装置５１にタッチパネル１を積層している。タッチパネル１の上に表層基材であるガラス板３を重ねている。  第一タッチスクリーン２ａと異なるのは、アンテナ併設タッチパネル１の第二パネル面３８に、複数の受信電極（Ｒｘ）３６と受信配線３７、アンテナ素子２１と第１配線２２とともに、さらに上記した低比誘電率層からなるパターン６０が在る点である。その他の構成は第一タッチスクリーン２ａと共通するので、説明を省略する。
【００６９】  低比誘電率層の比誘電率は、通常、１．０を超えて２．５以下、好ましくは、１．５以上２．５以下である。低比誘電率層の比誘電率がこの範囲にあると、アンテナパターンと検出パターンの電気的結合程度をさらに小さくできる。比誘電率（Εｒ）１．０は空気の比誘電率の値であるから、比誘電率（Εｒ）の値が１．０以下のパターン層は実現性が無い。また、比誘電率（Εｒ）の値が２．５を超えると、電気的結合を小さくする効果が得られにくくなる。
【００７０】  低比誘電率層としては、例えば、樹脂中に比誘電率の低い固形物を混合して、混合前樹脂よりも見かけの比誘電率を下げたインキを使用することができる。固形物を混合する代わりに、気泡を混入させてもよい。混合前樹脂は、例えば、アクリル系樹脂が挙げられる。
【００７１】  低比誘電率層からなるパターン６０の平面形状は帯状である。帯状は矩形と表現することもできる。
【００７２】  本発明にあって、低比誘電率層からなるパターン６０の平面形状は任意の形状であってもよいが、アンテナパターンと検出パターンの間に存在する領域の形状に沿った形状とするのが、電気的結合程度を小さくする上で、より好ましい。
【００７３】  また、低比誘電率層からなるパターン６０を配置する代わりに、平面透視図上で、アンテナパターン２０と検出パターン３０の間において、第一パネル面や第二パネル面を構成うする上述の基材７０、７１のうち、少なくともアンテナパターンが形成された基材が開口部７１ａを有するようにしても同じ効果が得られる。図８は第三タッチスクリーン２ｃの分解説明図である。図８では、二枚の基材７０、７１の一方面がそれぞれ第一パネル面３３、第二パネル面３８であり、二枚の基材７０、７１とも開口部７０ａ、７１ａを有する。基材７０、７１が開口部７０ａ、７１ａ、すなわち基材材料が存在しない部分を有することで、アンテナと検出パターンの間に電気的な結合がより確実に生じにくくなる。なお、図８では二枚の基材７０、７１とも開口部７０ａ、７１ａを有する例を示したが、少なくともアンテナパターン２０を有する基材７０に開口部７０ａがあればよい。
【００７４】  図９は第四タッチスクリーン２ｄ、図１０は第五タッチスクリーン２ｅの分解説明図である。図９に示すように、開口部７０ａを有する一枚の基材の一方面が第一パネル面３３、他方面が第二パネル面３８であってもよいし、図１０に示すように、開口部７０ａを有する一枚の基材の一方面が第一パネル面３３と第二パネル面３８であってもよい。
【００７５】  開口部７０ａ、７１ａの平面形状は帯状である。帯状は矩形と表現することもできる。
【００７６】  本発明にあって、開口部７０ａ、７１ａの平面形状は任意の形状であってもよいが、アンテナパターンと検出パターンの間に存在する領域の形状に沿った形状とするのが、電気的結合程度を小さくする上で、より好ましい。
【００７７】  以上、本発明を静電容量方式のタッチパネルに適用した実施例を説明した。本発明は静電容量方式のタッチパネル以外にも適用でき、例えば抵抗膜式のタッチパネルにおいて実施することができる。
【００７８】  表示装置は、液晶表示装置、有機ＥＬ表示装置等を使用することができる。
【符号の説明】
【００７９】  １    アンテナ併設タッチパネル  ２    タッチスクリーン  ３    表層基材であるガラス板  ６    矢印（アンテナパターンと検出パターンの距離）  ２０    アンテナパターン  ２１    アンテナ素子  ２２    第１配線  ２４、２５、２６、２７、２８  アンテナ素子  ３０    検出パターン  ３１    電極である送信電極（Ｔｘ）  ３２    第２配線である送信配線  ３３    第一パネル面  ３６    電極である受信電極（Ｒｘ）  ３７    第２配線である受信配線  ３８    第二パネル面  ５１    表示装置である液晶表示装置  ５２    ＬＣＤ導電体  ５３    表示面  ６０    低比誘電率層からなるパターン  ７０、７１  基材  ７０ａ、７１ａ  開口部
【要約】【課題】  アンテナを併設したタッチパネルにあって、タッチパネルの検出特性に悪影響が無いアンテナ併設タッチパネルを得ることにある。【解決手段】  アンテナ併設タッチパネル１は、表示装置５１に積層して使用し、タッチパネルにアンテナを併設したアンテナ併設タッチパネルである。アンテナのアンテナ素子２１及びアンテナ素子と導通した第１配線２２からなるアンテナパターン２０と、タッチパネルの電極３１、３６及び電極と導通した第２配線３２、３７からなる検出パターン３０とを備えている。平面透視図上で、アンテナパターン２０と検出パターン３０の間の最短距離が１．０ｍｍ以上２０．０ｍｍ以下である。【選択図】  図１【図１】
0006030276.tif 000002
【図２】
0006030276.tif 000003
【図３】
0006030276.tif 000004
【図４】
0006030276.tif 000005
【図５】
0006030276.tif 000006
【図６】
0006030276.tif 000007
【図７】
0006030276.tif 000008
【図８】
0006030276.tif 000009
【図９】
0006030276.tif 000010
【図１０】
0006030276.tif 000011